(57)【要約】【課題】  居室親機で居住者が共用部カメラの映像を見て異常を発見したときに、管理人への報知を速やかに実施でき、且つ映像を合わせて伝送できる集合住宅用インターホンシステムを提供する。【解決手段】  共用部を撮像する共用部カメラ４を備えると共に、居室親機２及び管理室親機３に共用部カメラ４の撮像映像を出画するモニタ２ｃ，２２を設け、居室親機２に共用部カメラ４の撮像映像を出画させた際に画面上にタッチパネルから成る通報ボタン１１を表示させた。この映像を見ていた居住者が異常発生と判断した場合は、この通報ボタン１１をタッチすることで、管理室親機３に異常発生の通報が成されると同時に共用部カメラ４の撮像映像が管理親モニタ２２に表示され、合わせて映像が映像記録部２６に記録される。【選択図】  図１
2009033659.tif 000002
【特許請求の範囲】
【請求項１】
居住者を呼び出すために集合玄関に設置される集合玄関機と、来訪者と通話するために各住戸に設置される居室親機と、来訪者や居住者と通話するために管理室に設置される管理室親機と、共用部を撮像する共用部カメラと、各機器間の通信を制御する制御装置とを有し、前記集合玄関機に備えられた玄関機カメラや前記共用部カメラの撮像映像を出画するモニタを前記居室親機及び管理室親機に備えた集合住宅用インターホンシステムであって、
前記居室親機に、前記共用部カメラの撮像映像が出画されている状態で操作されると、異常発生を前記管理室親機に通報する通報ボタンを設け、
前記管理室親機には、前記通報を受けて共用部での異常発生を報知すると共に、前記共用部カメラの撮像映像を管理室親機モニタに出画制御する異常報知制御手段が設けられて成ることを特徴とする集合住宅用インターホンシステム。
【請求項２】
前記管理室親機又は前記制御装置は映像記憶手段を備え、前記異常発生の通知を受けた前記異常報知制御手段は、前記共用部カメラの撮像映像の出画と同時に出画映像を前記映像記憶手段に記憶制御することを特徴とする請求項１記載の集合住宅用インターホンシステム。
【発明の詳細な説明】
【技術分野】
【０００１】
本発明は集合住宅用インターホンシステムに関し、特に共用部カメラを備えて居室親機からその撮像映像を見ることができる集合住宅用インターホンシステムに関する。
【背景技術】
【０００２】
従来より、防犯のためにエントランス等の共用部にカメラを備えた集合住宅用インターホンシステムがある。このようなシステムでは、居室親機の操作により共用部カメラを起動して撮像映像を居室親機のモニタに出画させることができ、共用部の様子を居室親機から確認することができるようになっている（例えば、特許文献１参照）。
【０００３】
【特許文献１】特開２００６−２７９４１６号公報
【発明の開示】
【発明が解決しようとする課題】
【０００４】
上記共用部カメラを備えたシステムでは、居住者がこの映像を見ていた時に不審者の侵入等の異常に気づいた時は、管理室親機を呼び出して通報を行ったりしていた。しかしながら、通報する場合は一旦共用部カメラの撮像映像の出画を終了して管理室親機の呼出操作をしなければならず、速やかに通報する手段が確立されていなかった。また、通報するに際して、映像を合わせて伝送することができないため、管理人が直ぐに状況を把握できなかった。
【０００５】
そこで、本発明はこのような問題点に鑑み、居室親機で居住者が共用部カメラの映像を見て異常を発見したときに、管理人への報知を速やかに実施でき、且つ映像を合わせて伝送できる集合住宅用インターホンシステムを提供することを目的とする。
【課題を解決するための手段】
【０００６】
上記課題を解決する為に、請求項１に記載の発明は、居住者を呼び出すために集合玄関に設置される集合玄関機と、来訪者と通話するために各住戸に設置される居室親機と、来訪者や居住者と通話するために管理室に設置される管理室親機と、共用部を撮像する共用部カメラと、各機器間の通信を制御する制御装置とを有し、集合玄関機に備えられた玄関機カメラや共用部カメラの撮像映像を出画するモニタを居室親機及び管理室親機に備えた集合住宅用インターホンシステムであって、居室親機に、共用部カメラの撮像映像が出画されている状態で操作されると、異常発生を管理室親機に通報する通報ボタンを設け、管理室親機には、通知を受けて共用部での異常発生を報知すると共に、共用部カメラの撮像映像を管理室親機モニタに出画制御する異常報知制御手段が設けられて成ることを特徴とする。
この構成によれば、共用部カメラの映像を出画させた状態で且つワンタッチ操作で異常発生を管理室親機に通知できるので、速やかな通報ができ防犯に効果を奏する。そして、共用部カメラの撮像映像が合わせて送信されるので、管理室親機でも異常状態を把握しやすい。
【０００７】
請求項２の発明は、請求項１に記載の発明において、管理室親機又は制御装置は映像記憶手段を備え、異常発生の通知を受けた異常報知制御手段は、共用部カメラの撮像映像の出画と同時に出画映像を映像記憶手段に記憶制御することを特徴とする。
この構成によれば、通知されて管理室親機に出画された映像は同時に保存されるので、別途録画操作することなく録画でき不審者の確認や犯罪発生時の証拠に役立てることができる。
【発明の効果】
【０００８】
本発明によれば、共用部カメラの映像を出画させた状態で且つワンタッチ操作で異常発生を管理室親機に通知できるので、速やかな通報ができ防犯に効果を奏する。そして、共用部カメラの撮像映像が合わせて送信されるので、管理室親機でも異常状態を把握しやすい。
そして、管理室親機に出画された映像は同時に保存されるので、不審者の確認や犯罪発生時の証拠に役立てることができる。
【発明を実施するための最良の形態】
【０００９】
以下、本発明を具体化した実施の形態を、図面に基づいて詳細に説明する。図１は本発明に係る集合住宅用インターホンシステムの一例を示す構成図であり、一部の機器を回路ブロック図で示している。図１において、１は居住者を呼び出すために集合玄関に設置される集合玄関機、２，２・・は来訪者と通話するために各住戸に設置される居室親機、３は来訪者や居住者と通話するために管理室に設置される管理室親機、４はエントランス等の共用部を撮像する共用部カメラ、５は各機器間の通信を制御する制御装置である。
集合玄関機１、居室親機２、管理室親機３、共用部カメラ４は何れも制御装置５に伝送線Ｌ１〜Ｌ４を介して接続されている。
【００１０】
集合玄関機１は、呼出先を選択する操作部１ａ、呼出ボタン１ｂ、来訪者を撮像するカメラ１ｃを備えている。また居室親機２は、来訪者からの呼び出しに応答するための通話ボタン２ａ、通話するためのハンドセット２ｂ、カメラ１ｃの撮像映像や共用部カメラ４の撮像映像を出画するためのモニタ（親機モニタ）２ｃを備え、更に回路ブロック図に示すように共用部での異常発生を通報するための通報ボタン１１、各種操作を行うタッチパネル等の操作部１２、マイク１３及びスピーカ１４による音声の送受信を行うための音響部１５、制御装置５と映像信号の送受信をするためのインターフェース（映像ＩＦ）１６、制御装置５と通信するための通信回路１７、居室親機全体の制御を行うＣＰＵから成る制御部（親機ＣＰＵ）１８を備えている。
【００１１】
管理室親機３は、呼出・応答及び各種操作を行うための操作部２１、集合玄関機１のカメラ１ｃや共用部カメラ４の撮像映像を出画するためのモニタ（管親モニタ）２２、マイク２３及びスピーカ２４による音声の送受信を行うための音響部２５、映像を記録するための映像記録部２６、制御装置５との間で映像信号を送受信するためのインターフェース（映像ＩＦ）２７、制御装置５と通信するための通信回路２８と、管理室親機全体の制御を行うＣＰＵから成る制御部（管親ＣＰＵ）２９を備えている。
【００１２】
制御装置５は、集合玄関機１、居室親機２、管理室親機３、共用部カメラ４と映像信号の送受信を実施する第１〜第４映像インターフェース（第１〜第４映像ＩＦ）３１ａ〜３１ｄ、集合玄関機１、居室親機２、管理室親機３と通信するための第１〜第３通信回路３２ａ〜３２ｃ、制御装置全体の制御を行うＣＰＵから成る制御部（制御装置ＣＰＵ）３３を備えている。制御装置ＣＰＵ３３により、各機器間の通信路が制御され、集合玄関機１と居室親機２との通信、管理室親機３と居室親機２との通信路等が形成される。
そして、共用部カメラ４は、制御装置５の制御信号により撮像制御する制御部を備えたカメラ３６、映像信号を制御装置５に伝送するための映像インターフェース（映像ＩＦ）３７を備えている。
【００１３】
このように構成された集合住宅用インターホンシステムの動作は以下のようである。但し、集合玄関機１の操作部１ａが操作されて訪問先の居住者が選択され、来訪者と居住者との間で通話が成される集合住宅用インターホンシステムの基本動作は従来と同様であるため説明を省略し、共用部カメラ４による監視動作を中心に説明する。
居住者等により居室親機２が共用部映像を入手する所定の操作を受けたら、親機ＣＰＵ１８は共用部モニタ開始信号を通信回路１７を介して制御装置５に送出する。制御装置５は、第２通信回路３２ｂを介して共用部モニタ開始信号を受信したら、制御装置ＣＰＵ３３が共用部カメラ４と居室親機２との映像路を接続する。
【００１４】
この映像路の形成により、共用部カメラ４のカメラ３６から出力される映像信号は、映像ＩＦ３７を介して制御装置５に伝送され、第４映像ＩＦ３１ｄを介してこの映像信号を受信した制御装置ＣＰＵ３３が、第２映像ＩＦ３１ｂを介して居室親機２に送出する。居室親機２では、映像ＩＦ１６を介して親機ＣＰＵ１８が映像信号を受信したら、親機モニタ２ｃに共用部カメラ４の撮像映像を出画する。
【００１５】
図２は、このときの共用部カメラ４の撮像映像が親機モニタ２ｃに出画された画面の一例を示している。この画面図に示すように、映像が出画される際、親機モニタ２ｃには２つのタッチボタンが表示される。「通報」と表示されたタッチボタンは、上記通報ボタン１１であり、共用部映像の表示にあわせて表示される。また、「終わる」と表示されたタッチボタン３９は、映像の表示を終了させるためのボタンであり、同様に表示される。
【００１６】
そして、この映像を見ている居住者等が像の中に不審者の存在等の異常を発見した場合、通報ボタン１１をタッチ操作することで管理人にそれを通報することができる。通報ボタン１１がタッチされると、親機ＣＰＵ１８は共用部異常報知処理を開始し、制御装置５に対して共用部異常信号が送信される。
【００１７】
共用部異常信号を受信した制御装置５では、制御装置ＣＰＵ３３の制御により、共用部異常報知制御が開始される。この制御は、第３通信回路３２ｃを介して管理室親機３に対して共用部異常信号を送出し、同時に第３映像ＩＦ３１ｃを介して共用部カメラ４からの映像信号が管理室親機３に対しても送信される。
【００１８】
管理室親機３では、共用部異常信号を受信すると管親ＣＰＵ２９によって共用部異常処理が開始され、受信した共用部カメラ４の映像を管親モニタ２２に出画すると共に、映像記録部２６にその映像を記録する。更に、スピーカ２４から警報音を鳴動させ、管理人に対して報知する。尚、映像記録部２６に記録した映像は管理室親機３は勿論のこと居室親機２からでも確認することが可能となっている。
【００１９】
このように、共用部カメラの映像を出画させた状態で且つワンタッチ操作で異常発生を管理室親機に通知できるので、不審者等の監視を継続させながら速やかな通報ができ、防犯に効果を奏する。そして、共用部カメラの撮像映像が合わせて送信されるので、管理室親機でも異常状態を把握することができる。
また、通知されて管理室親機に出画された映像は同時に保存されるので、別途録画操作することなく録画でき不審者の確認や犯罪発生時の証拠に役立てることができる。
【００２０】
尚、上記実施形態では、通報ボタン１１をモニタ２ｃ上にタッチパネルとして設け、共用部映像を表示させた際に、通報ボタン１１も表示されるようしているが、居室親機ケース上に設けても良い。図３は、この場合のスイッチ動作フローを示すもので、共用部映像が表示された共用部監視中の時のみ通報ボタン１１を有効とし、管理室親機３に共用部異常信号が送信されることを示している。
また、通報により管理室親機３に送信された映像は、同時に管理室親機３に記録されるが映像記録部は制御装置５に設けても良い。制御装置５に記録部を設ければ、居住者の間で映像の共有を図り易くなる。
また、通報ボタン１１の操作により管理室親機３のみに通報する場合を説明しているが、管理室親機３だけでなく他の居室親機２、更にはスピーカを設けて共用部にも合わせて通報するようにしても良い。
【図面の簡単な説明】
【００２１】
【図１】本発明に係る集合住宅インターホンシステムの実施形態の一例を示す構成図である。
【図２】親機モニタに共用部映像を表示させた説明図である。
【図３】通報ボタンの動作フローを示す図である。
【符号の説明】
【００２２】
１・・集合玄関機、２・・居室親機、２ａ・・通話ボタン、２ｃ・・親機モニタ、３・・管理室親機、４・・共用部カメラ、５・・制御装置、１１・・通報ボタン、１８・・親機ＣＰＵ、２２・・管親モニタ、２４・・スピーカ、２６・・映像記録部（映像記憶手段）、２９・・管親ＣＰＵ（異常報知制御手段）、３３・・制御機ＣＰＵ、３６・・カメラ。
【図１】
2009033659.tif 000003
【図２】
2009033659.tif 000004
【図３】
2009033659.tif 000005